(57)【要約】【課題】  本発明は、組み立てが容易で施工性も良く、さらに、梱包時の耐久性を有するとともに、入手しやすい材料でのみ構成される安価な梱包材を提供することにある。【解決手段】  段ボールなどの比較的肉厚のある紙材１を折り畳んで箱型に成形する梱包材であって、紙材１の一面側に防水性、撥水性または緩衝性を有するシート２を互いが全面に固定されない状態で配置していることを特徴とする。【選択図】      図１
2018039517.tif 000002
【特許請求の範囲】
【請求項１】
段ボールなどの比較的肉厚のある紙材を折り畳んで箱型に成形する梱包材であって、
紙材の一面側に防水、撥水性または緩衝性を有するシートを互いが全面に固定されない状態で配置していることを特徴とする梱包材。
【請求項２】
紙材を折り畳んで箱体を形成したときの底壁部および底壁部と側壁部との折り畳み箇所以外にシートを固定する固定部を有していることを特徴とする請求項１記載の梱包材。
【請求項３】
シートには、紙材の折り畳みと対応する折り目が設けてあることを特徴とする請求項１又は２記載の梱包材。
【発明の詳細な説明】
【技術分野】
【０００１】
本発明は、段ボール紙などの紙材で成形されるとともに、梱包物を梱包するための梱包材に関するものである。
【背景技術】
【０００２】
ボール紙や段ボール紙等の比較的厚みのある紙材を折り畳んで組み立てられる梱包材は、様々な分野で利用されている。
【先行技術文献】
【特許文献】
【０００３】
特開２００１−３１５２３０号公報
【発明の概要】
【発明が解決しようとする課題】
【０００４】
上記のような梱包材は、生鮮食品や冷凍食品などを梱包するときに、これらの梱包物は多量に水分を含んでいることから、上記のような紙製の梱包材に収容したときに外部に水漏れをする問題点があった。
そこで、このような水分を含む梱包物を収容するときは、紙材の表面に防水あるいは撥水性を有する特殊な剤がコーティングされた梱包材を用いる、あるいは、樹脂や金属で成形した梱包材が使用されていた。さらに、梱包物を衝撃から守る緩衝手段を梱包材に設ける場合でも同様であった。このことから、生産性が悪く、さらに、一般的な紙材からなるものと比較して梱包にかかるコストが増大する問題点があった。
【０００５】
本発明は、上記課題を鑑みてなされたものであり、組み立てが容易で施工性も良く、さらに、梱包時の耐久性を有するとともに、入手しやすい材料でのみ構成される安価な梱包材を提供することにある。
【課題を解決するための手段】
【０００６】
本発明のうち請求項１記載の発明は、段ボールなどの比較的肉厚のある紙材を折り畳んで箱型に成形する梱包材であって、紙材の一面側に防水性、撥水性または緩衝性を有するシートを互いが全面に固定されない状態で配置していることを特徴とする。
【０００７】
本発明のうち請求項２記載の発明は、紙材を折り畳んで箱体を形成したときの底壁部および底壁部と側壁部との折り畳み箇所以外にシートを固定する固定部を有していることを特徴とする。
【０００８】
本発明のうち請求項３記載の発明は、シートには、紙材の折り畳みと対応する折り目が設けてあることを特徴とする。
【発明の効果】
【０００９】
本発明のうち請求項１記載の発明によれば、箱体を形成する前の展開した紙材の一面側に、防水または撥水性のシートを移動不能に配置してある。これにより、紙材を折り畳んで箱体を形成したときに、箱体の内周部に沿って防水性、撥水性または緩衝性を有するシートが配置される。このときに、紙材とシートが完全に固定されていないことから、紙材の折り畳みに追従しつつ、シートは紙材の動きとは独立して移動しながら折り畳まれていくので、シートに強い負荷がかからない。したがって、箱体内周のシートが破損せずに水密性が保たれることで組み立ても容易であり、梱包材の外部に梱包物の水分が漏れ出ない、あるいは梱包物の緩衝性を確保できる構造となる。また、紙材に防水や撥水コーティングを施すなどの特殊な手段を要さず、一般に市販されるポリエチレンシートなどの汎用なシートを配置するだけなので、製造も省コスト化を図ることができる。
【００１０】
本発明のうち請求項２記載の発明によれば、紙材を折り畳んで箱体を形成したときの底壁部および底壁部と側壁部との折り畳み箇所以外の位置でシートを固定することにより、シートが紙材の所定の箇所に確実に配置される。これにより、紙材の折り畳みと同時にシートも紙材の内周側に沿って配置されるので、容易に組み立てができるとともに、梱包材内部の水密性や緩衝性も確保される。さらに、上記のようにシートと箱体を構成する蓋部や側壁部、底壁部とが張り付いていないことから、請求項１と同様に組み立てた後に梱包物を入れた状態であっても、梱包物の荷重や移動時の摩擦などでシートに強い負荷がかからない。
【００１１】
本発明のうち請求項３記載の発明によれば、シートには、紙材を折り畳んだときのコーナー箇所と対応する位置に折り目が設けてあることから、紙材を折り畳むと同時にシートの折り目がガイドとなって優先的に折れ曲がり、組み立てた後の箱体の内周部に沿って精度よくシートが配置される。これにより、施工性と水密性、収容性のすべてを具備した梱包材を提供できる。
【図面の簡単な説明】
【００１２】
【図１】本実施による梱包材の斜視図である。
【図２】本実施による梱包材を展開した（ａ）は、平面図であり、（ｂ）は、組み立て後の状態を示す斜視図である。
【図３】（ａ）〜（ｄ）は、本実施による梱包材を組み立てる手順を示す説明図である。
【図４】（ａ）は、図３（ｄ）中Ａ−Ａ線断面図であり、（ｂ）は、（ａ）中Ｂを拡大して本実施による梱包材を組み立てた後に紙材とシートの状態を示す縦断面図である。
【図５】本発明の梱包材の他の実施形態を示す展開した状態の平面図である。
【図６】上記図５と同じく、本発明の梱包材の他の実施形態を示す展開した状態の平面図である。
【図７】本発明の梱包材のうち緩衝性を有する実施形態を示す展開した状態の平面図である。
【図８】上記図７と同じく、本発明の梱包材のうち緩衝性を有する他の実施形態を示す展開した状態の平面図である。
【発明を実施するための形態】
【００１３】
以下に、図面に基づいて本実施による梱包材について説明する。
本実施による梱包材は、図１のように、段ボール紙材（紙材）１と防水シート（シート）２とから構成してある。
段ボール紙材１は、図２（ａ）のように、展開した状態では一枚の段ボール紙からほぼ十字型に形成してあり、底壁部１ａと、この底壁部１ａの四周の各辺にそれぞれ連続する側壁部１ｂと、このうちの一つの側壁部１ｂと連続する蓋部１ｃと、その他の側壁部１ｂと連続するフラップ１ｄとからなっている。また、蓋部１ｃには一続きに凸状をなす連結部１ｅが設けてあり、さらに、他方の側壁部１ｂには、スリット状に紙材１を貫通する被連結部１ｆが設けてある。また、底壁部１ａと各側壁部１ｂの間には、折りしろ部１ｇがそれぞれに設けてある。そして、後述にて詳しく説明するが、上記の段ボール紙材１を底壁部１ａから各側壁部１ｂ及び蓋部１ｃを折り曲げて箱型に組み立て、さらに、連結部１ｅを被連結部１ｆに差し込むことで、本実施による梱包材の全体が形成される。
【００１４】
防水シート２は、本実施では厚みが約１ｍｍ程度の薄いポリエチレン製シートを使用している。また、上記の防水シート２は、展開した状態の段ボール紙材１よりも一回り大きく形成してあり、さらに、段ボール紙材１の一面側のほぼ全体を覆うように配置されている。また、防水シート２には、複数の箇所に折り込みの浅い折り目Ｍがあらかじめ設けてあり、各折り目Ｍは、防水シート２を段ボール紙材１の一面側に重ねたときに、段ボール紙材１の底壁部１ａと各側壁部１ｂの折り畳み箇所がほぼ一致するようにそれぞれが設けてある。
【００１５】
段ボール紙材１と防水シート２との取り付けは、本実施のものでは、図２（ａ）のように、各々の側壁部１ｂ間の計四つの折りしろ部１ｇに防水シート２がステープラの針３でそれぞれが固定してある。さらに、防水シート２は、各フラップ１ｄの一面側にも接着剤を薄く所定の範囲に塗布した接着剤塗布面４でそれぞれ固定してあることで、段ボール紙材１と防水シート２との間には隙間Ｓが形成されるが、ステープラの針３と接着剤の塗布による各々の固定で防水シート２が段ボール紙材１の所定の箇所から位置ずれしない構造となっている。
【００１６】
上記した梱包材の梱包手順を図３（ａ）〜（ｄ）と図１に基づいて説明する。
第一の手順として図３（ａ）のように、段ボール紙材１の各側壁部１ｂを底壁部１ａから折り曲げて立ち上げるとともに、折りしろ部１ｇを側壁部１ｂの内周側に折り込む。
第二の手順として図３（ｂ）のように、上記の第一の手順で段ボール紙材１の側壁部１ｂを底壁部１ａから折り曲げたときに、防水シート２についても各折り目Ｍでそれぞれが折れ曲がる。
第三の手順として図３（ｃ）のように、各側壁部１ｂをそれぞれ折り畳んで立ち上げ、上方のみが開放する状態とし、梱包材の内周側に梱包物５を入れる。
第四の手順として図３（ｄ）のように、蓋部１ｃを折り畳んで連結部１ｅを被連結部１ｆに差し込み、梱包材の中にある梱包物５を閉塞する。
以上の第一〜第四の書く手順を経ることにより、本実施による梱包材の形成と、梱包物５の梱包が完了する。
【００１７】
上記のように本実施による梱包材を構成することにより、以下に示す作用と効果を奏することになる。
段ボール紙材１の底壁部１ａから各側壁部１ｂを折り曲げて立ち上げたときに、折りしろ部１ｇが内周側に折り畳まれるが、このときに、段ボール紙材１の内周側に配置してある防水シート２についても、あらかじめ設けてある折り目Ｍで側壁部１ｂとともに折り畳まれる。これにより、図４（ａ）のように、防水シート２が段ボール紙材１の各側壁部１ｂと、その各側壁部１ｂ間に設けてある折りしろ部１ｇの内周側部に沿って配置される。このことから、段ボール紙材１を箱型になるように折り畳んだだけで、防水シート２が箱型の段ボール紙材１の内周側部に沿って配置されるので、防水性を有する梱包材を一回の作業で容易に組み立てることができる。さらに、箱型に組み立てた後の梱包材は、図４（ｂ）のように、段ボール紙材１と防水シート２の間に固定されない隙間Ｓが設けられる。これにより、折り畳み線と折り目Ｍの間も固定されずに隙間Ｓが設けられることから、段ボール紙材１と防水シート２が互いの動きを規制せずに、折り畳んで組み立てるときも円滑に行える梱包材を形成できる。また、段ボール紙材１と防水シート２の間に隙間Ｓがあることで、梱包材の中に入れた梱包物５が不意に動いても、防水シート２のみが梱包物５の動きを許容して追従しながら動く。このことから、防水シート２の引っ張りなどにより段ボール紙材１を損傷することがなく、海産物のような梱包物５に水分を含むものであっても防水性を確保しつつ、耐久性の高い梱包材を提供できる。
【００１８】
本発明の梱包材の防水性または撥水性シート２の形状については、上記実施形態では展開した状態の紙材１の一面側のほぼ全体を覆う略矩形をなすものを挙げたが、図５のように、ひし形に配置するものや、あるいは、図６のように、丸く円形に配置するものでもよい。さらに、図７のように、防水性と緩衝性を兼ね備える気泡緩衝シート（シート）６ａ、あるいは、図８のように、緩衝ネット（シート）６ｂを紙材１の一面側のほぼ全体を覆うかたちで配置し、シート６ａ，６ｂの一部を上記の防水性または撥水性を有するシート２と同様の位置で紙材１に固定するものでもよい。このように緩衝性を有するシート６ａ，６ｂを紙材１に配置するときであっても、防水性または撥水性を有するシート２と同じく、紙材１の折り畳みと同時にシート２が折り畳まれるので、梱包材を組み立てが効率よく行える。また、段ボール紙材１とシート２を固定する箇所は、上記実施形態では、折りしろ部１ｇとしているが、紙材１の折り畳み箇所とシート２の折り目Ｍ以外の箇所であれば、側壁部１ｂや蓋部１ｃなど紙材１を折り畳んで梱包材を組み立てたときに、シート２が紙材１の内周側の所定の範囲に配置できる箇所であればよい。紙材１とシート２を固定する手段は、上記した針３や接着剤塗布面４以外にも粘着テープ、あるいは防水性または撥水性シートの溶着などでもよく、その手段を限定するものではない。
【符号の説明】
【００１９】
１  段ボール紙材（紙材）
１ａ  底壁部
１ｂ  側壁部
１ｃ  蓋部
１ｄ  フラップ
１ｅ  連結部
１ｆ  被連結部
１ｇ  折りしろ部
２  防水シート（シート）
３  針（固定部）
４  接着剤塗布面（固定部）
５  梱包物
６ａ  気泡緩衝シート（シート）
６ｂ  緩衝ネット（シート）
Ｍ  折り目
Ｓ  隙間
【図１】
2018039517.tif 000003
【図２】
2018039517.tif 000004
【図３】
2018039517.tif 000005
【図４】
2018039517.tif 000006
【図５】
2018039517.tif 000007
【図６】
2018039517.tif 000008
【図７】
2018039517.tif 000009
【図８】
2018039517.tif 000010